(57)【要約】      （修正有）【課題】セパレータを容易に剥がすことができ、封印作業を容易にするとともに時間も短縮し得る両面テープおよび両面テープ付収納材、両面テープ付封筒を提供する。【解決手段】セパレータ９と、セパレータの少なくとも一面に形成された粘着剤７とを含む両面テープ１０であって、粘着剤は、セパレータの幅方向における中心線を基準として、セパレータの幅方向における一縁の側にずれた状態で形成されている。両面テープ付封筒は、両面テープと、封筒とを備え、封筒が、収納対象物を収納する本体部と、折り曲げられて本体部の空間を閉じるフラップとを含む。両面テープが粘着剤を介して、本体部またはフラップに取り付けられ、セパレータを引き剥がし、フラップを本体部の側に折り曲げることにより、本体部とフラップが粘着剤を介して接着する。【選択図】図２
0003228354.tif 000002
【実用新案登録請求の範囲】
【請求項１】
セパレータと、当該セパレータの少なくとも一面に形成された粘着剤とを含む両面テープであって、
前記粘着剤は、前記セパレータの幅方向における中心線を基準として、前記セパレータの幅方向における一縁の側にずれた状態で形成されている、両面テープ。
【請求項２】
請求項１に記載の両面テープであって、
前記粘着剤の幅方向における一縁が、前記セパレータの幅方向における一縁と一致する、両面テープ。
【請求項３】
請求項１又は２に記載の両面テープと、収納材とを備える両面テープ付収納材であって、
前記収納材が、収納対象物を収納する本体部と、折り曲げられて当該本体部の空間を閉じるフラップとを含み、
前記両面テープが前記粘着剤を介して、前記本体部または前記フラップに取り付けられ、
前記セパレータを引き剥がし、前記フラップを前記本体部の側に折り曲げることにより、前記本体部と前記フラップが前記粘着剤を介して接着する、両面テープ付収納材。
【請求項４】
請求項３に記載の両面テープ付収納材であって、
前記両面テープが前記粘着剤を介して、折り曲げ時に前記本体部に対向する前記フラップの面に取り付けられ、前記セパレータの幅方向における少なくとも一部が、前記本体部から離間した前記フラップの一縁から外部に突出している、両面テープ付収納材。
【請求項５】
請求項４に記載の両面テープ付収納材であって、
前記粘着剤が、前記フラップの一縁から所定の距離だけ当該フラップの内部に離間した位置に配置される、両面テープ付収納材。
【請求項６】
請求項３に記載の両面テープ付収納材であって、
前記両面テープが前記粘着剤を介して、折り曲げ時に前記フラップに対向する前記本体部の面に取り付けられ、前記セパレータの幅方向における少なくとも一部が、前記本体部の空間が露出する一縁から前記フラップの側に突出している、両面テープ付収納材。
【請求項７】
請求項６に記載の両面テープ付収納材であって、
前記粘着剤が、前記本体部の一縁から所定の距離だけ当該本体部の内部に離間した位置に配置される、両面テープ付収納材。
【請求項８】
請求項３から７のいずれか１項に記載の両面テープ付収納材において、前記収納材が封筒である両面テープ付封筒。
【考案の詳細な説明】
【技術分野】
【０００１】
本考案は、両面テープと、封印作業が容易な両面テープ付収納材に関する。
【背景技術】
【０００２】
従来より、手紙等の書類を封入する封筒として種々のタイプのものが提案されている。封印作業を容易にするため、予め封筒を封印するフラップの部分に、糊等の粘着剤とそれを覆うセパレータが設けられ、セパレータを剥がして封印するものが存在する。
【０００３】
特許文献１は、フラップの内側に粘着剤を塗布し、開封防止シールを表側から貼付した封筒を提案している。この封筒には、内側の粘着剤塗布部と開封防止シールを粘着した部分の面積より大きめのセパレータ紙を貼付して粘着部全体を１枚のセパレータ紙で保護している。使用する場合はこの１枚のセパレータ紙を剥がすことにより、封印と開封防止シール貼付を同時に完了することができる。
【先行技術文献】
【特許文献】
【０００４】
【特許文献１】特開２０１５−１５１１９３号公報
【考案の概要】
【考案が解決しようとする課題】
【０００５】
特許文献１は、封印作業及び開封防止シールの貼付作業を容易にし得るものではあるが、あくまで開封防止シールを用いる封筒を対象とした考案である。実際に大量の封筒を封印する際には、セパレータを剥がす工程が面倒な工程であり、作業時間を長くする要因となっている。
【０００６】
本考案は、両面テープと、セパレータを容易に剥がすことができ、封印作業を容易にするとともに時間も短縮し得る両面テープ付収納材に関する。
【課題を解決するための手段】
【０００７】
本考案の一態様は、セパレータと、当該セパレータの少なくとも一面に形成された粘着剤とを含む両面テープであって、前記粘着剤は、前記セパレータの幅方向における中心線を基準として、前記セパレータの幅方向における一縁の側にずれた状態で形成されている。
【０００８】
本考案の一態様は、例えば、前記粘着剤の幅方向における一縁が、前記セパレータの幅方向における一縁と一致する。
【０００９】
本考案の一態様は、例えば、上述の両面テープと、収納材とを備える両面テープ付収納材であって、前記封筒が、収納対象物を収納する本体部と、折り曲げられて当該本体部の空間を閉じるフラップとを含み、前記両面テープが前記粘着剤を介して、前記本体部または前記フラップに取り付けられ、前記セパレータを引き剥がし、前記フラップを前記本体部の側に折り曲げることにより、前記本体部と前記フラップが前記粘着剤を介して接着する。
【００１０】
本考案の一態様は、例えば、前記両面テープが前記粘着剤を介して、折り曲げ時に前記本体部に対向する前記フラップの面に取り付けられ、前記セパレータの幅方向における少なくとも一部が、前記本体部から離間した前記フラップの一縁から外部に突出している。
【００１１】
本考案の一態様は、例えば、前記粘着剤が、前記フラップの一縁から所定の距離だけ当該フラップの内部に離間した位置に配置される。
【００１２】
本考案の一態様は、例えば、前記両面テープが前記粘着剤を介して、折り曲げ時に前記フラップに対向する前記本体部の面に取り付けられ、前記セパレータの幅方向における少なくとも一部が、前記本体部の空間が露出する一縁から前記フラップの側に突出している。
【００１３】
本考案の一態様は、例えば、前記粘着剤が、前記本体部の一縁から所定の距離だけ当該本体部の内部に離間した位置に配置される。
【００１４】
上述した両面テープ付収納材の例は、収納材が封筒である両面テープ付封筒である。
【考案の効果】
【００１５】
本考案によれば、封印作業において、セパレータを容易に剥がすことができるため、封印作業を容易なものとすることができる。
【図面の簡単な説明】
【００１６】
【図１】図１は、本考案の実施形態に係る封印前の両面テープ付封筒の正面図を示す。
【図２】図２は、実施形態に係る両面テープ付封筒の要部の拡大図であって、（Ａ）は両面テープのセパレータを剥がす前の状態を示し、（Ｂ）はセパレータを剥がしている時の状態を示す。
【図３】図３は、両面テープの正面図であって、（Ａ）は第１例の両面テープ、（Ｂ）は第２例の両面テープ、（Ｃ）は第３例の両面テープを示す。
【図４】図４は、他の実施形態に係る両面テープ付封筒を示し、（Ａ）は正面図、（Ｂ）はセパレータを剥がしている時の状態を示す。
【図５】図５は、他の実施形態に係る両面テープ付封筒を示し、（Ａ）は正面図、（Ｂ）はセパレータを剥がしている時の状態を示す。
【考案を実施するための形態】
【００１７】
本考案に関する具体的な実施形態について、各図を参照しながら以下に説明する。
【００１８】
図１は、本考案の実施形態に係る両面テープ付封筒１を示す。両面テープ付封筒１は、封筒２と両面テープ１０とを備えている。所定の収納対象物を収納し、発送するための封筒２は、本体部３と、フラップ５とを有し、本図は、封筒２のフラップ５が折り込まれる側の面を示しており、図１で示した面と逆側の面には宛先等が記載される。
【００１９】
本体部３は手紙等の書類やその他の収納対象物を収納する空間を有し、作業者や機械によって、書類等の収納対象物が空間に挿入される。フラップ５は本体部３の１辺から突出し、折り曲げられることにより、収納対象物が収納された本体部３の空間の口を閉じて、封筒２を封印する。封筒２の大きさ、形状等は特に限定されない。
【００２０】
図２は、両面テープ付封筒１の要部である図１のＡ領域の拡大図を示す。図２（Ａ）に示す様に、両面テープ１０はフラップ５の一縁からその一部がフラップ５の外側へ突出するようにフラップ５に取り付けられている。図２（Ｂ）に示す様に、両面テープ１０はセパレータ９と、セパレータ９の少なくとも一面に形成された粘着剤７とを含む。
【００２１】
粘着剤７はセパレータ９の所定領域に帯状に形成され、セパレータ９を引き剥がすことによりフラップ５の上に形成された状態で露出する。粘着剤７が露出した状態でフラップ５を折り曲げることにより、粘着剤７はフラップ５と本体部３を接着することができる物質である。フラップ５と本体部３が一般的な紙によって構成される場合、粘着剤７は紙を接着可能な糊等により形成されるが、その種類は特に限定されない。セパレータ９は例えば離型紙と呼ばれる紙等によって構成され、両面テープ付封筒１の封印作業が行われるまで粘着剤７を覆い、保護する役割を果たす。セパレータ９の素材、大きさ等も特に限定されない。
【００２２】
両面テープ１０がフラップ５に取り付けられる前において、例えば両面テープ１０はロール状に巻き付けられ、セパレータ９と粘着剤７が交互に重なった状態をとっており、独立した状態で運搬、取引可能となっている。例えば所定の専用装置を用いて、ロールから両面テープ１０を引き出し、所定の長さに裁断しながら粘着剤７を介してフラップ５に取り付けることにより、図２（Ａ）の状態が実現される。
【００２３】
図２（Ｂ）に示すように、両面テープ１０は粘着剤７を介して、折り曲げ時に本体部３に対向するフラップ５の面（内側面）に取り付けられている。そして、セパレータ９の幅方向Ｗにおける少なくとも一部が、本体部３から離間したフラップ５の一縁から、距離Ｄ１だけ外部に突出している。作業者がセパレータ９の先端であるＰの領域（図２（Ａ）参照）を把持して、セパレータ９をフラップ５から剥がし、フラップ５を本体部３の側に折り曲げることにより、フラップ５が粘着剤７を介して本体部３と一体化し、両面テープ付封筒１の封印作業が完了する。
【００２４】
従来の両面テープ付封筒では、一般的に両面テープがフラップ５の一縁から外部に突出しておらず、フラップ５の面内内部に取り付けられている。作業者はセパレータ９をフラップ５から剥がし際、例えば爪をセパレータ９とフラップ５の間に入れてセパレータ９を引き起こすといった作業を要し、手間と時間を要するものであった。一方、本実施形態の両面テープ付封筒１においては、作業者はセパレータ９の突出部分（例えば図２（Ａ）のＰの領域）を指で把持することができるため、セパレータ９をフラップ５から容易に剥がすことができ、両面テープ付封筒１の封印作業の時間を短縮することができる。
【００２５】
また、粘着剤７が、フラップ５の一縁から所定の距離Ｄ２だけフラップ５の内部に離間した位置に配置されている。予め所定の距離Ｄ２を決めておくことにより、両面テープ１０をフラップ５の定められた位置に容易にかつ正確に配置することができる。粘着剤７の一縁とフラップ５の一縁を一致させてもよいが（Ｄ２＝０）、所定の距離Ｄ２を確保することにより、両面テープ１０のフラップ５への配置作業が容易となる。例えば距離Ｄ１は５ｍｍ、距離Ｄ２は５ｍｍ、粘着剤７の幅Ｄ３は１５ｍｍに設定されるが、これらの値、それぞれの値の比等は特に限定されない。
【００２６】
図３（Ａ）、（Ｂ）、（Ｃ）は、それぞれ両面テープ１０の第１例、第２例、第３例を示しており、図２とは逆方向から両面テープ１０を見た図である。図３（Ａ）の第１例においては、粘着剤７の幅方向Ｗにおける一縁が、セパレータ９の幅方向Ｗにおける一縁と一致しており、粘着剤７の片側にのみ、粘着剤７が存在しない非粘着部９ａが存在する。図３（Ｂ）の第２例においては、粘着剤７の幅方向Ｗにおける二つの縁のいずれもが、セパレータ９の幅方向Ｗにおける二つの縁と一致しておらず、粘着剤７の両側に第１の非粘着部９ａ、第２の非粘着部９ｂが存在する。図３（ｃ）の第３例は第１例と類似するが、非粘着部９ａの幅が粘着剤７の幅より大きくなっている。
【００２７】
本実施形態において、粘着剤７の一の片側のみに非粘着部９ａが存在する、または、粘着剤７の両側に第１の非粘着部９ａ、第２の非粘着部９ｂが存在する場合、第１の非粘着部９ａの幅と第２の非粘着部９ｂの幅が異なったものとなっている（図３（Ｂ）では第１の非粘着部９ａの幅＞第２の非粘着部９ｂの幅）。すなわち、本実施形態において、粘着剤７は、セパレータ９の幅方向Ｗにおける中心線ＣＬを基準として、セパレータ９の幅方向Ｗにおける一縁の側にずれた状態で形成されている。
【００２８】
図３とは異なり、粘着剤７がセパレータ９の幅方向Ｗにおける中心線ＣＬを基準として、セパレータ９の幅方向Ｗにおいて中央に位置する例を仮定する。このような両面テープを用いる場合、図２のようにセパレータ９の幅方向Ｗにおける少なくとも一部をフラップ５の一縁から外部に突出させるためには、セパレータ９の幅（Ｄ１＋Ｄ２＋Ｄ３）を所定の値以上に大きく確保する必要がある。しかしながら、セパレータ９の幅（Ｄ１＋Ｄ２＋Ｄ３）を大きくすることはコストの増大を招くことになりかねない。
【００２９】
本実施形態においては、粘着剤７は、セパレータ９の幅方向Ｗにおける中心線ＣＬを基準として、セパレータ９の幅方向Ｗにおける一縁の側にずれた状態で形成されている。このため、セパレータ９の幅を大きくしなくても、粘着剤７の片側に存在する非粘着部の幅（図３の例では非粘着部９ａの幅）を大きくすることができ、コストの増大を抑えることができる。そして、セパレータ９のフラップ５からの突出幅である距離Ｄ１を所定以上の値に容易にすることができ、作業者によるセパレータ９を剥がす際の作業性が向上する。
【００３０】
このようにコストの増大を抑えた両面テープ１０を用いつつ、図２に示す様に、セパレータの突出距離Ｄ１を確保することができ、セパレータ９をフラップ５から剥がす作業性が向上し、両面テープ付封筒１の封印作業の時間を短縮することができる。また、本実施形態の両面テープ付封筒１の外観は、通常の封筒と何ら変わることがないため、意匠性の劣化を引き起こすことなく、作業性の向上とコストの増大抑止を達成することができる。
【００３１】
図４は、他の実施形態に係る両面テープ付封筒１を示す。図１、２の実施形態においては、両面テープ１０はフラップ５に取り付けられているが、本実施形態においては、両面テープ１０がフラップの折り曲げ時にフラップ５に対向する本体部５の面に取り付けられている。セパレータ９を引き剥がし、フラップ５を本体部３の側に折り曲げることにより、本体部３とフラップ５が粘着剤７を介して接着する。
【００３２】
本実施形態では、両面テープ１０がフラップ５の一縁から外部に突出しておらず、作業者は、図２（Ａ）のＰの領域の様なセパレータ９の突出部分を指で把持することができない。しかしながら、図４（Ａ）のＡ領域の拡大図である図４（Ｂ）に示す様に、両面テープ１０は、図３（Ａ）、（Ｂ）、（Ｃ）に示す粘着剤７が存在しない非粘着部９ａを有しており、作業者は容易にセパレータ９の非粘着部９ａに相当する部分を把持することができる（例えば爪を非粘着部９ａに相当する部分に入れればよい）。よって、本実施形態においても、意匠性の劣化を引き起こすことなく、作業性の向上とコストの増大抑止を達成することができる。
【００３３】
尚、この考え方に基づき、図１、２の実施形態においても、両面テープ１０がフラップ５の一縁から外部に突出しない状態、すなわちフラップ５の内部に取り付けてもよい。図４（Ｂ）と同様に、作業者は容易にセパレータ９の非粘着部９ａに相当する部分を持ち上げることができる。
【００３４】
図５は、更に他の実施形態に係る両面テープ付封筒１を示す。本実施形態においても、図４と同様に、両面テープ１０がフラップの折り曲げ時にフラップ５に対向する本体部５の面に取り付けられている。セパレータ９を引き剥がし、フラップ５を本体部３の側に折り曲げることにより、本体部３とフラップ５が粘着剤７を介して接着する。ただし、図４の実施形態と異なり、セパレータ９の幅方向における少なくとも一部が、本体部５の空間が露出する一縁からフラップ５の側に突出している。
【００３５】
作業者は、図２（Ａ）のＰの領域の様なセパレータ９の突出部分を指で把持し、図５（Ａ）のＡ領域の拡大図である図５（Ｂ）に示す様に、容易にセパレータ９を持ち上げることができる。よって、本実施形態においても、意匠性の劣化を引き起こすことなく、作業性の向上とコストの増大抑止を達成することができる。
【００３６】
また、粘着剤７が、本体部３の一縁から所定の距離Ｄ２だけフラップ５の内部に離間した位置に配置されている。予め所定の距離Ｄ２を決めておくことにより、両面テープ１０を本体部３の定められた位置に容易にかつ正確に配置することができる。
【００３７】
上述した実施形態は、すべて両面テープ付封筒１、すなわち両面テープ１０を有した封筒に関するものであるが、本考案は特に封筒には限定されず、所定の収納対象物を収納して発送するための発送資材や、所定の収納対象物を収納して梱包する梱包資材等、他の収納材にも適用可能である。この収納材は、所定の収納対象物を収納する空間を有する本体部と、折り曲げられて本体部の空間を閉じるフラップを含む構成を基本的に有しており、実施形態の封筒２に相当する。また、収納材に両面テープを設けた両面テープ付収納材が、実施形態の両面テープ付封筒１に相当する。
【００３８】
尚、本考案は、上述した実施形態に限定されるものではなく、適宜、変形、改良、等が可能である。その他、上述した実施形態における各構成要素の材質、形状、寸法、数値、形態、数、配置箇所、等は本考案を達成できるものであれば任意であり、限定されない。
【符号の説明】
【００３９】
１    両面テープ付封筒（両面テープ付収納材）
２    封筒（収納材）
３    本体部
５    フラップ
７    粘着剤
９    セパレータ（離型紙）
１０  両面テープ
【図１】
0003228354.tif 000003
【図２】
0003228354.tif 000004
【図３】
0003228354.tif 000005
【図４】
0003228354.tif 000006
【図５】
0003228354.tif 000007